(57)【要約】【課題】立体映像表示を行う際のクロストークを低減する表示装置及びテレビジョン受信装置の提供。【解決手段】表示装置に放送波データが入力された場合（Ｓ１１）、放送波データからメタ情報を抽出し（Ｓ１２）、抽出したメタ情報を参照して、表示させるべき映像のサイズがシネマスコープサイズであるか否かを判断する（Ｓ１３）。シネマスコープサイズであると判断した場合（Ｓ１３：ＹＥＳ）、黒帯ありと判断し（Ｓ１４）、黒帯の位置から各フレームにおける左眼用映像（又は右眼用映像）の表示開始位置及び表示終了位置を算出する（Ｓ１５）。そして、算出した表示開始位置及び表示終了位置に応じて、バックライトのオン／オフのタイミングを設定し（Ｓ１６）、そのタイミングに従ってバックライトのオン／オフを制御する（Ｓ２０）。【選択図】図５
2013134463.tif 000002
【特許請求の範囲】
【請求項１】
右眼用映像信号に基づく映像と左眼用映像信号に基づく映像とを交互に切替えて立体表示を行う表示パネルと、該表示パネルに光を照射するバックライトとを備える表示装置において、
立体表示を行う際、前記表示パネルの表示領域に立体表示をしない領域が含まれるか否かを判断する判断手段と、
該判断手段による判断結果に応じて、前記バックライトの点灯及び消灯に係るタイミングを制御する制御手段と
を備えることを特徴とする表示装置。
【請求項２】
前記映像のアスペクト比に係る情報を取得する手段を備え、
前記判断手段は、取得したアスペクト比に係る情報に基づいて、立体表示をしない領域が含まれるか否かを判断するようにしてあることを特徴とする請求項１に記載の表示装置。
【請求項３】
前記映像の解像度に係る情報を取得する手段を備え、
前記判断手段は、取得した解像度に係る情報に基づいて、立体表示をしない領域が含まれるか否かを判断するようにしてあることを特徴とする請求項１に記載の表示装置。
【請求項４】
立体表示をしない領域が含まれると前記判断手段が判断した場合、前記制御手段は、前記右眼用映像信号に基づく映像と前記左眼用映像信号に基づく映像とを切替えるタイミングにて、前記バックライトを消灯するようにしてあることを特徴とする請求項１から３の何れか１つに記載の表示装置。
【請求項５】
請求項１から請求項４の何れか１つに記載の表示装置と、
テレビジョン放送を受信する受信手段と
を備え、
該受信手段にて受信したテレビジョン放送に基づく映像を前記表示装置に表示するようにしてあることを特徴とするテレビジョン受信装置。
【発明の詳細な説明】
【技術分野】
【０００１】
本発明は、立体映像表示を行う際のクロストークを低減する表示装置及びテレビジョン受信装置に関する。
【背景技術】
【０００２】
立体映像表示装置である３Ｄテレビジョンは、両眼視差による映像の立体化現象を利用している。この場合、テレビジョン受信装置側で左眼用と右眼用の映像が表示され、視聴者が３Ｄメガネをかけることで、それらの映像が左眼及び右眼にそれぞれに取り込まれ、立体的な映像として認識される。
【０００３】
具体的な手法としては、たとえば、フルＨＤ画質を保ちつつ、３Ｄ映像化を可能としたフレームシーケンシャル方式が提案されている。この方式は、左眼用の映像と右眼用の映像とを画面に交互に表示し、その表示の切替えに同期させて３Ｄメガネの左右のレンズをアクティブシャッタによりオン／オフし、両眼視差を作り出すことにより、立体的な映像が得られるようにしたものである。
【先行技術文献】
【特許文献】
【０００４】
【特許文献１】特開２０１０−２８６５５５号公報
【発明の概要】
【発明が解決しようとする課題】
【０００５】
表示装置では、一般的に、画面の上部から下部に向かってライン毎に映像の書込み走査を行うことにより、映像表示を行う。このため、１フレーム毎に右眼用映像と左眼用映像とを切替えて立体映像の表示を行う場合、画面内には、右眼用映像が書込まれている領域と左眼用映像が書込まれている領域とが混在する期間が発生する。１つの画面内で右眼用映像及び左眼用映像が混在することにより、映像同士の間で干渉（クロストーク）が発生し、例えば、右眼用映像の一部が左眼に、左眼用映像の一部が右眼にそれぞれ漏れ込む減少が発生してしまう。
【０００６】
このようなクロストークの発生を抑えるために、例えば、特許文献１では、同一画素における左眼用映像及び右眼用映像の階調からＬＲコントラスト（ＣＲコントラスト）を算出し、算出したコントラストに基づいてバックライトをオン／オフするタイミングを計算する構成としていた。
【０００７】
しかしながら、このような計算手法では、フルＨＤの解像度を有する表示装置の場合、１フレーム毎に６２２万回程度（１９２０×１０８０×３（ＲＧＢ））のコントラストの計算が必要であり、演算量が非常に多くなるという問題点を有していた。
【０００８】
また、特許文献１では、比較用データを記憶するための記憶領域が必要であり、演算結果を反映させるためには、映像データを記憶領域に蓄積し、遅延させて映像を描画させる必要があるという問題点を有していた。
【０００９】
本発明は、斯かる事情に鑑みてなされたものであり、左眼用映像及び右眼用映像の混在に伴うクロストークの発生を抑えるためのバックライト制御に関して、バックライトのオン／オフのタイミングを少量の演算量で計算することができ、しかもフレーム遅延の発生を抑制することができる表示装置及びテレビジョン受信装置を提供することを目的とする。
【課題を解決するための手段】
【００１０】
本発明に係る表示装置は、右眼用映像信号に基づく映像と左眼用映像信号に基づく映像とを交互に切替えて立体表示を行う表示パネルと、該表示パネルに光を照射するバックライトとを備える表示装置において、立体表示を行う際、前記表示パネルの表示領域に立体表示をしない領域が含まれるか否かを判断する判断手段と、該判断手段による判断結果に応じて、前記バックライトの点灯及び消灯に係るタイミングを制御する制御手段とを備えることを特徴とする。
【００１１】
本発明に係る表示装置は、前記映像のアスペクト比に係る情報を取得する手段を備え、前記判断手段は、取得したアスペクト比に係る情報に基づいて、立体表示をしない領域が含まれるか否かを判断するようにしてあることを特徴とする。
【００１２】
本発明に係る表示装置は、前記映像の解像度に係る情報を取得する手段を備え、前記判断手段は、取得した解像度に係る情報に基づいて、立体表示をしない領域が含まれるか否かを判断するようにしてあることを特徴とする。
【００１３】
本発明に係る表示装置は、立体表示をしない領域が含まれると前記判断手段が判断した場合、前記制御手段は、前記右眼用映像信号に基づく映像と前記左眼用映像信号に基づく映像とを切替えるタイミングにて、前記バックライトを消灯するようにしてあることを特徴とする。
【００１４】
本発明に係るテレビジョン受信装置は、前述した発明の何れか１つに記載の表示装置と、テレビジョン放送を受信する受信手段とを備え、該受信手段にて受信したテレビジョン放送に基づく映像を前記表示装置に表示するようにしてあることを特徴とする。
【００１５】
本発明では、電子番組表やｅｘｉｆ情報などの映像データに付加されるメタ情報を用いて、立体表示がされない黒帯部分の位置を算出することにより、バックライトのオン／オフのタイミングを計算する構成としているため、同一画素における左眼用映像及び右眼用映像の階調からコントラストを算出し、算出したコントラストに基づいてバックライトをオン／オフするタイミングを計算する従来手法と比較して、計算量が格段に削減される。
【００１６】
また、本願では、映像の描画前にタイミングの計算が可能となるため、フレーム遅延を発生させる必要がない。
【発明の効果】
【００１７】
本発明によれば、電子番組表やｅｘｉｆ情報などの映像データに付加されるメタ情報を用いて、立体表示がされない黒帯部分の位置を算出することにより、バックライトのオン／オフのタイミングを計算する構成とし、少量の計算量で、クロストークを低減させるためのバックライト制御が可能となる。また、計算量の削減により、演算手段における消費電力や熱の発生を抑えることができる。
また、本発明によれば、映像の描画前に取得できる情報を用いて、バックライトのオン／オフのタイミングを算出することができるため、遅延の発生を抑えることが可能となる。
【図面の簡単な説明】
【００１８】
【図１】本実施の形態に係る表示装置の内部構造を示すブロック図である。
【図２】バックライト制御の手法を説明する説明図である。
【図３】駆動シーケンスの一例を示す図である。
【図４】バックライトをオン／オフするタイミングの算出例を説明する説明図である。
【図５】実施の形態１に係る表示装置の動作を説明するフローチャートである。
【図６】液晶パネルの表示解像度と写真データの画像解像度との関係を説明する説明図である。
【図７】実施の形態２に係る表示装置の動作を説明するフローチャートである。
【図８】液晶パネルの表示解像度と映像データの画像解像度との関係を説明する説明図である。
【図９】実施の形態３に係る表示装置の動作を説明するフローチャートである。
【発明を実施するための形態】
【００１９】
以下、本発明をその実施の形態を示す図面に基づいて具体的に説明する。
実施の形態１．
図１は本実施の形態に係る表示装置の内部構造を示すブロック図である。本実施の形態に係る表示装置は、例えば、液晶テレビジョン受信装置、液晶モニタ、デジタルフォトフレーム等の表示デバイスである。以下では、本実施の形態に係る表示装置は、液晶テレビジョン受信装置であるとして説明を行うものとする。
【００２０】
表示装置は、映像選択部１１、映像判別部１２、映像処理部１３、表示コントローラ１４、液晶パネル１５、バックライトコントローラ１６、バックライト１７及びメガネコントローラ１８を備える。
【００２１】
映像選択部１１は、映像信号の入力源を選択し、選択した入力源から映像信号を取得するためのインタフェースである。入力源としては、テレビジョン放送を受信するアンテナ、ＨＤＭＩ機器、パーソナルコンピュータ（ＰＣ）、及びＵＳＢに接続されるデジタルスチルカメラ、メディアプレーヤなどのＵＳＢ機器等を含む各種映像信号を出力する機器が含まれる。本実施の形態では、映像選択部１１が選択した入力源から、左右の視差を有する右眼用映像信号及び左眼用映像信号を含む映像信号が入力される。なお、入力源は、例えば、図に示していないユーザインタフェースを通じてユーザによって選択される。
映像選択部１１は、入力源を通じて取得した映像信号を映像判別部１２へ出力する。
【００２２】
映像判別部１２は、入力された映像信号を判別するための処理部である。映像判別部１２による判別処理については後に詳述することとするが、本実施の形態では、右眼用映像信号及び左眼用映像信号に基づく立体表示を行う表示パネルとしての液晶パネル１５に映像を表示する際、表示する映像にいわゆる黒帯と呼ばれる部分（レターボックスにおける余白部分）が含まれるか否かを判別することを特徴としている。すなわち、映像判別部１２は、液晶パネル１５が備える表示領域の一部に、本来表示すべき映像に追加された黒帯部分（立体表示を行わない領域）が存在するか否かを判断する判断手段として機能する。
映像判別部１２は、映像選択部１１から入力された映像信号を映像処理部１３へ出力すると共に、判別結果をバックライトコントローラ１６及びメガネコントローラ１８へ出力する。
【００２３】
映像処理部１３は、入力された映像信号に対して各種信号処理を行うための処理部である。映像処理部１３は、例えば、映像信号のＡ／Ｄ変換、Ａ／Ｄ変換後の映像信号から水平同期信号及び垂直同期信号の分離、これらの同期信号に位相同期したクロック信号の生成、Ａ／Ｄ変換後の映像信号からの輝度信号及び色信号の分離、画質改善処理等の処理を実行する。
また、映像処理部１３は、入力された映像信号に基づいて、右眼用映像信号及び左眼用映像信号の書込み順序（表示順序）の制御を行うことにより、表示信号を生成する。ここでは、１フレーム期間（又は１サブフレーム期間）毎に、右眼用映像信号と左眼用映像信号とが交互に配列してなる表示信号を生成する。なお、以下の説明では、右眼用映像信号に基づく映像を右眼用映像、左眼用映像信号に基づく映像を左眼用映像と呼ぶ。
映像処理部１３は、生成した表示信号や水平・垂直同期信号等を表示コントローラ１４へ出力する。
【００２４】
表示コントローラ１４は、映像処理部１３から入力された表示信号、水平・垂直同期信号などに基づいて、液晶パネル１５を制御することにより、液晶パネル１５が有する表示領域に、表示信号に基づく映像を表示させる。
【００２５】
バックライトコントローラ１６は、バックライトのオン／オフ（点灯および消灯）を制御するための制御回路である。制御タイミングについては、後に詳述することとするが、本実施の形態に係るバックライトコントローラ１６は、映像判別部１２の判別結果に応じてバックライト１７のオン／オフを制御することを特徴としている。例えば、映像選択部１１を通じて入力された映像信号が、黒帯を含む映像信号であると映像判別部１２が判別した場合、その判別結果を受けたバックライトコントローラ１６は、右眼用映像と左眼用映像との切替え時にバックライト１７を消灯するように制御する。
【００２６】
バックライト１７は、液晶パネル１５に対して光を照射するための光源であり、例えばＬＥＤアレイ（LED : Light Emitting Diode）、ＣＣＦＬ（Cold Cathode Fluorescent Lamp）等が用いられる。バックライト１７は、バックライトコントローラ１６から出力される信号に基づき、その点灯動作および消灯動作が切替えられるように構成されている。
【００２７】
メガネコントローラ１８には、右眼用映像信号及び左眼用映像信号に基づく立体映像の視聴を可能とする３Ｄメガネ２０が有線又は無線により接続される。メガネコントローラ１８は、右眼用映像及び左眼用映像の表示タイミングに対応するタイミング制御信号を３Ｄメガネ２０へ出力する。
【００２８】
３Ｄメガネ２０は、右眼用映像及び左眼用映像に基づく立体映像を視聴可能とするために、右眼用レンズ及び左眼用レンズを有する。これらの右眼用レンズ及び左眼用レンズには、それぞれ液晶シャッタなどの遮光シャッタが設けられている。３Ｄメガネ２０は、メガネコントローラ１８から出力されるタイミング制御信号に従って遮光シャッタの開閉を行う。
具体的には、メガネコントローラ１８は、右眼用映像の表示期間に、３Ｄメガネ２０の右眼用レンズを開状態、左眼用レンズを閉状態とする制御を行い、左眼用映像の表示期間に、３Ｄメガネ２０の右眼用レンズを閉状態、左眼用レンズを開状態とする制御を行う。
【００２９】
図２はバックライト制御の手法を説明する説明図である。図２Ａは、液晶パネル１５の表示領域内に黒帯が存在しない場合の制御手法を示している。液晶パネル１５は、一般的に、表示コントローラ１４から入力される表示信号に基づき、画面の上部から下部に向かってライン毎に映像の書込み走査を行うことにより、映像を表示する。このため、１フレーム毎に右眼用映像と左眼用映像とを切替えて立体映像の表示を行う場合、画面内には、右眼用映像が書込まれている領域と左眼用映像が書込まれている領域とが混在する期間が発生する。１つの画面内で右眼用映像及び左眼用映像を混在する場合、映像同士の間で干渉（クロストーク）が発生し、例えば、右眼用映像の一部が左眼に、左眼用映像の一部が右眼にそれぞれ漏れ込む減少が発生してしまう。
そこで、右眼用映像及び左眼用映像が混在する期間には、バックライト１７をオフにしてクロストークの発生を抑える。
【００３０】
図２Ｂは、液晶パネル１５の表示領域に黒帯が存在する場合の制御手法を示している。液晶テレビジョン受信装置などの表示装置における液晶パネル１５のアスペクト比は、スタンダードサイズ（４：３の画面サイズ）であるか、又はビスタサイズ（１６：９の画面サイズ）であることが多い。したがって、このようなアスペクト比を有する液晶パネル１５に、アスペクト比が２．３５：１のシネマスコープサイズの映像を表示する場合、本来の映像部分以外に黒帯を付加したレターボックスと呼ばれる表示形態で映像を表示することが一般的である。図２Ｂでは、本来の映像の上下に黒帯を付加して、右眼用映像及び左眼用映像を表示している様子を示している。
【００３１】
本来の映像部分では、前述したようなクロストークは発生し得るものの、黒帯部分には右眼用映像及び左眼用映像が共に表示されないので、両者が混在することはなく、クロストークは発生しない。したがって、本実施の形態では、黒帯部分の走査期間中はバックライト１７をオンにする制御を行う。この結果、図２Ａに示した制御手法と比較して、１フレーム内でバックライト１７をオンにする時間を増やすことができ、かつクロストークを抑えることができる。
【００３２】
図３は駆動シーケンスの一例を示す図である。図３Ａは、黒帯が存在しない場合の駆動シーケンスの一例を示している。左眼用映像と右眼用映像とを１フレーム毎に切替えて表示する場合、ある垂直同期信号に同期させて左眼用映像の書込みを開始し、１ライン目から最終ラインまで順次書込み走査を行い、次の垂直同期信号に同期させて右眼用映像の書込みを開始し、１ライン目から最終ラインまで順次書込み走査を行う。左眼用映像の書込み走査と右眼用映像の書込み走査とを交互に繰り返すことにより、左眼用映像と右眼用映像とを１フレーム毎に切替えて表示する。
【００３３】
左眼用映像（又は右眼用映像）を各ラインに書込んでいる期間は、液晶パネル１５には、左眼用映像と右眼用映像とが混在して表示されることになる。このため、この期間には、バックライトコントローラ１６はバックライト１７をオフにする制御を行い、クロストークの発生を抑える。そして、最終ラインへの映像の書込みが完了してから、次の垂直同期信号が入力されるまでの間、バックライトコントローラ１６は、バックライト１７をオンにする制御を行う。
【００３４】
図３Ｂは、黒帯が存在する場合の駆動シーケンスの一例を示している。前述したように、例えば、スタンダードサイズ又はビスタサイズの液晶パネル１５にシネマスコープサイズの映像を表示する場合、映像の上下に黒帯を付加したレターボックスの表示形態で映像表示を行う。したがって、左眼用映像及び右眼用映像に基づくシネマスコープサイズの映像表示を行う場合、ある垂直同期信号に同期させて上側の黒帯に対応する書込み走査を開始し、黒帯の幅に対応するライン数の書込み走査が完了した後、左眼用映像の書込み走査を行う。そして、左眼用映像の書込み走査が完了した後、下側の黒帯に対応する書込み走査を行う。同様に、次の垂直同期信号に同期させて、上側の黒帯に対応する書込み走査を開始し、右眼用映像、下側の黒帯に対応する書込み走査を順次行う。以降のフレームについても同様であり、黒帯部分を除く領域にて、左眼用映像の書込み走査と右眼用映像の書込み走査とを交互に繰り返すことにより、左眼用映像と右眼用映像とを１フレーム毎に切替えて表示する。
【００３５】
上側の黒帯に対応する書込み走査を終えて、左眼用映像（又は右眼用映像）を各ラインに書込んでいる期間は、液晶パネル１５には、左眼用映像と右眼用映像とが混在して表示されることになる。このため、バックライトコントローラ１６は、左眼用映像（又は右眼用映像）の表示開始タイミングにてバックライト１７をオフにする制御を行う。また、下側の黒帯に対応する書込み走査が開始された場合、左眼用映像及び右眼用映像の混在が解消するので、バックライトコントローラ１６は、左眼用映像（又は右眼用映像）の表示終了タイミングにてバックライト１７をオンにする制御を行う。
図３Ａ及び図３Ｂに示すように、黒帯が存在する場合には、黒帯が存在しない場合と比べて１フレーム内でのバックライト１７の点灯期間を長くすること可能となる。すなわち、図３Ｂに示すような駆動シーケンスを採用することにより、クロストークを抑制しつつ、画面の輝度を高めることができる。
【００３６】
以上のように、本実施の形態に係る表示装置は、黒帯の有無に応じてバックライト１７をオン／オフするタイミングを制御することを特徴の１つとしている。黒帯の有無を判別する手法として、本実施の形態では、電子番組表（EPG : Electric Program Guide）のような放送波データに含まれるメタ情報を利用する。そして、表示する映像（左眼用映像及び右眼用映像）に黒帯が付加されていることがメタ情報より判別できた場合、バックライト１７をオン／オフするタイミングを算出するために、映像判別部１２は、左眼用映像（及び右眼用映像）の表示開始タイミング及び表示終了タイミングを算出する。
【００３７】
図４はバックライト１７をオン／オフするタイミングの算出例を説明する説明図である。図４Ａは、表示装置の画面サイズを表し、液晶パネル１５は、左右方向にａ画素、上下方向にｂ画素の解像度を有しているものとする。表示装置の画面サイズが、ビスタサイズ（１６：９）である場合、その画面の解像度は、例えば、左右方向が１９２０画素であり、上下方向が１０８０画素である。
【００３８】
図４Ｂは、表示装置の画面サイズとシネマスコープサイズとの関係を示している。ビスタサイズの液晶パネル１５にシネマスコープサイズの映像を表示する場合、映像部分の上下に黒帯を付加したレターボックスの表示形態で映像を表示する。このため、画面の上側のラインから順次書込み走査を行う表示装置では、映像部分の表示開始ラインは、上側の黒帯に対する走査が完了した直後のラインに該当し、映像部分の表示終了ラインは、下側の黒帯に対する走査の直前のラインに該当する。
【００３９】
液晶パネル１５が左右方向にａ画素、上下方向にｂ画素を有するとした場合、シネマスコープサイズの映像のアスペクト比は、２．３５：１であるから、表示開始ラインの位置は、液晶パネル１５の一番上の画素から［（ｂ−ｃ）／２］番目の画素に相当する位置であり、表示終了ラインの位置は、液晶パネル１５の一番上の画素から［（ｂ＋ｃ）／２］番目の画素に相当する位置である。ここで、ｃ＝ａ／２．３５であり、［Ｘ］は小数点以下の切り捨てを意味する演算記号である。
映像判別部１２は、１フレーム内において、［（ｂ−ｃ）／２］番目の水平同期信号に同期させてバックライト１７をオフにする制御信号をバックライトコントローラ１６へ出力し、［（ｂ＋ｃ）／２］番目の水平同期信号に同期させてバックライト１７をオンにする制御信号をバックライトコントローラ１６へ出力する。バックライトコントローラ１６は、映像判別部１２から出力される制御信号に従ってバックライト１７の点灯及び消灯のタイミングを制御することによって、図３Ｂに示すような駆動シーケンスを実現する。
【００４０】
以下、実施の形態１に係る表示装置の動作について説明する。図５は実施の形態１に係る表示装置の動作を説明するフローチャートである。表示装置の映像選択部１１にアンテナからの放送波データが入力された場合（ステップＳ１１）、映像選択部１１は、入力された放送波データを映像判別部１２へ出力し、映像判別部１２にて放送波データからメタ情報を抽出する（ステップＳ１２）。抽出するメタ情報は、例えば、電子番組表（ＥＰＧ）である。
【００４１】
映像判別部１２は、放送波データから抽出したメタ情報に含まれるアスペクト比情報を参照することにより、表示すべき映像がシネマスコープサイズであるか否かを判断する（ステップＳ１３）。
【００４２】
表示すべき映像がシネマスコープサイズであると判断した場合（Ｓ１３：ＹＥＳ）、映像判別部１２は、表示すべき映像には黒帯が付加されていると判断し（ステップＳ１４）、液晶パネル１５の表示解像度に従って、映像部分の表示開始位置及び表示終了位置を算出する（ステップＳ１５）。
なお、液晶パネル１５の表示解像度を常に一定とする場合、シネマスコープサイズの映像の表示開始位置及び表示終了位置は常に同じであるため、それぞれの位置を図に示していない記憶手段に予め記憶しておき、この記憶手段から表示開始位置及び表示終了位置に係る情報を読出す構成としてもよい。
また、映像を拡大又は縮小して表示する場合には、その拡大率又は縮小率に応じて、映像の表示開始位置及び表示終了位置を算出すればよい。
【００４３】
次いで、映像判別部１２は、算出した映像部分の表示開始位置及び表示終了位置に応じて、バックライト１７をオン／オフするタイミングを設定する（ステップＳ１６）。
一方、表示すべき映像がシネマスコープサイズでないと判断した場合（Ｓ１３：ＮＯ）、映像判別部１２は、表示すべき映像には黒帯が付加されていないと判断し（ステップＳ１７）、バックライト１７をオン／オフするタイミングをデフォルトのタイミングに設定する（ステップＳ１８）。ここで、デフォルトのタイミングは、例えば、図３Ａに示すように、左眼用映像（又は右眼用映像）の最終ラインの書込み走査に同期してバックライト１７をオンし、右眼用映像（又は左眼用映像）の１ライン目の書込み走査に同期してバックライト１７をオフにするタイミングである。
【００４４】
映像判別部１２は、設定したタイミングでバックライト１７をオン／オフする制御信号を生成し（ステップＳ１９）、生成した制御信号をバックライトコントローラ１６へ出力する。バックライトコントローラ１６は、映像判別部１２からの制御信号に従って、バックライト１７をオン／オフする制御を行う（ステップＳ２０）。
【００４５】
なお、本実施の形態では、バックライト１７をオン／オフするタイミングの制御について説明したが、３Ｄメガネ２０が備える左右のレンズについても、バックライト１７と同様のタイミングで開閉を制御することが可能である。すなわち、映像判別部１２は、バックライト１７をオンするタイミングで左眼用レンズ（又は右眼用レンズ）を開状態とし、バックライト１７をオフするタイミングで左眼用レンズ及び右眼用レンズを閉状態とする制御信号を生成し、この制御信号をメガネコントローラ１８へ出力することにより、３Ｄメガネ２０における左右のレンズの開閉を制御することが可能である。
【００４６】
また、本実施の形態では、映像判別部１２は、入力された映像信号をそのままの形式で映像処理部１３へ出力する構成としたが、黒帯が含まれないと判別した場合には、映像を縮小して黒帯部分を付加した映像信号に変換し、変換後の映像信号を映像処理部１３へ出力する構成としてもよい。この場合、入力された映像信号に黒帯部分が含まれない場合であっても、黒帯ありと判断し、黒帯がある場合に算出されるタイミングにてバックライト１７のオン／オフを制御することが好ましい。
【００４７】
実施の形態２．
実施の形態１では、放送波データに含まれるメタ情報を利用して黒帯の有無を判別する構成としたが、液晶パネル１５に写真データ（画像データ）に基づく画像を表示する場合、写真データのメタ情報（例えば、ｅｘｉｆ情報）に基づき、黒帯の有無を判別する構成としてもよい。
実施の形態２では、写真データのヘッダ情報から黒帯の有無を判別し、判別結果に応じてバックライト１７のオン／オフを制御する構成について説明する。
【００４８】
映像選択部１１を通じて写真データが入力された場合、ｅｘｉｆ情報のようなメタ情報を参照することによって、写真データの画像解像度を取得することができる。映像判別部１２は、入力された写真データの画像解像度と液晶パネル１５の表示解像度とを比較することによって、黒帯を付加した映像（写真）を表示するか否かを判断する。
【００４９】
図６は液晶パネル１５の表示解像度と写真データの画像解像度との関係を説明する説明図である。図６Ａは、表示装置の画面サイズを表し、液晶パネル１５は、左右方向にａ画素、上下方向にｂ画素の解像度を有しているものとする。表示装置の画面サイズが、ビスタサイズ（１６：９）である場合、その画面の解像度は、例えば、左右方向が１９２０画素であり、上下方向が１０８０画素である。
【００５０】
図６Ｂは、表示装置の画面サイズとパノラマ写真の表示サイズとの関係を示している。ビスタサイズの液晶パネル１５に幅方向に長いパノラマ写真（画像）を表示する場合、画像の上下に黒帯を付加した表示形態で画像を表示する。このため、画面の上側のラインから順次書込み走査を行う表示装置では、画像部分の表示開始ラインは、上側の黒帯に対する走査が完了した直後のラインに該当し、画像部分の表示終了ラインは、下側の黒帯に対する走査の直前のラインに該当する。
【００５１】
パノラマ写真の表示サイズは様々なものが存在するが、写真データのメタ情報から画像解像度情報を取得することができる。表示すべき画像の左右方向の画素数をｘ、上下方向の画素数をｙとした場合、表示開始ラインの位置は、液晶パネル１５の一番上の画素から［（ｂ−ｙ）／２］番目の画素に相当する位置であり、表示終了ラインの位置は、液晶パネル１５の一番上の画素から［（ｂ＋ｙ）／２］番目の画素に相当する位置である。
【００５２】
映像判別部１２は、１フレーム内において、［（ｂ−ｙ）／２］番目の水平同期信号に同期させてバックライト１７をオフにする制御信号をバックライトコントローラ１６へ出力し、［（ｂ＋ｙ）／２］番目の水平同期信号に同期させてバックライト１７をオンにする制御信号をバックライトコントローラ１６へ出力する。バックライトコントローラ１６は、映像判別部１２から出力される制御信号に従って、バックライト１７を点灯及び消灯するタイミングを制御する。
【００５３】
以下、実施の形態２に係る表示装置の動作について説明する。図７は実施の形態２に係る表示装置の動作を説明するフローチャートである。例えば、ＵＳＢ機器から表示装置の映像選択部１１に写真データが入力された場合（ステップＳ２１）、映像選択部１１は、入力された写真データを映像判別部１２へ出力し、映像判別部１２にて写真データに添付されているメタ情報から画像解像度情報を抽出する（ステップＳ２２）。
【００５４】
映像判別部１２は、メタ情報から抽出した写真データの上下方向の解像度（ｙ）と、液晶パネル１５における上下方向の表示解像度（ｂ）とを比較し、ｂ＞ｙであるか否かを判断する（ステップＳ２３）。
【００５５】
ｂ＞ｙであると判断した場合（Ｓ２３：ＹＥＳ）、映像判別部１２は、表示画像には黒帯が付加されると判断し（ステップＳ２４）、液晶パネル１５の表示解像度に従って、表示画像における表示開始位置及び表示終了位置を算出する（ステップＳ２５）。すなわち、［（ｂ−ｙ）／２］及び［（ｂ＋ｙ）／２］の値を求めることによって、表示開始位置及び表示終了位置を算出する。
なお、映像を拡大又は縮小して表示する場合には、その拡大率又は縮小率に応じて、映像の表示開始位置及び表示終了位置を算出すればよい。
【００５６】
次いで、映像判別部１２は、算出した映像部分の表示開始位置及び表示終了位置に応じて、バックライト１７をオン／オフするタイミングを設定する（ステップＳ２６）。
一方、ｂ＞ｙでないと判断した場合（Ｓ２３：ＮＯ）、映像判別部１２は、表示すべき画像には黒帯が付加されないと判断し（ステップＳ２７）、バックライト１７をオン／オフするタイミングをデフォルトのタイミングに設定する（ステップＳ２８）。ここで、デフォルトのタイミングとは、例えば、あるフレームにおいて表示する表示画像の最終ラインの書込み走査に同期してバックライト１７をオンし、次のフレームにおいて表示する表示画像の１ライン目の書込み走査に同期してバックライト１７をオフにするタイミングをいう。
【００５７】
映像判別部１２は、設定したタイミングでバックライト１７をオン／オフする制御信号を生成し（ステップＳ２９）、生成した制御信号をバックライトコントローラ１６へ出力する。バックライトコントローラ１６は、映像判別部１２からの制御信号に従って、バックライト１７をオン／オフする制御を行う（ステップＳ３０）。
【００５８】
なお、本実施の形態では、バックライト１７をオン／オフするタイミングの制御について説明したが、３Ｄメガネ２０が備える左右のレンズについても、バックライト１７と同様のタイミングで開閉を制御することが可能である。すなわち、映像判別部１２は、バックライト１７をオンするタイミングで左眼用レンズ（又は右眼用レンズ）を開状態とし、バックライト１７をオフするタイミングで左眼用レンズ及び右眼用レンズを閉状態とする制御信号を生成し、この制御信号をメガネコントローラ１８へ出力することにより、３Ｄメガネ２０における左右のレンズの開閉を制御することが可能である。
【００５９】
実施の形態３．
実施の形態１では、放送波データに含まれるメタ情報を利用して黒帯の有無を判別する構成としたが、ＨＤＭＩ機器又はＰＣから出力されるプログレッシブ方式の映像データに基づき映像を表示する場合、水平同期信号及び垂直同期信号をカウントして、黒帯の有無を判別する構成としてもよい。
実施の形態３では、映像データの水平同期信号及び垂直同期信号から黒帯の有無を判別し、判別結果に応じてバックライト１７のオン／オフを制御する構成について説明する。
【００６０】
映像選択部１１を通じてＨＤＭＩ機器又はＰＣから出力されるプログレッシブ方式の映像データが入力された場合、水平同期信号及び垂直同期信号をカウントして、映像データの画像解像度を取得することができる。映像判別部１２は、入力された映像データの画像解像度と液晶パネル１５の表示解像度とを比較することによって、黒帯を付加した映像を表示するか否かを判断する。
【００６１】
図８は液晶パネル１５の表示解像度と映像データの画像解像度との関係を説明する説明図である。図８Ａは、表示装置の画面サイズを表し、液晶パネル１５は、左右方向にａ画素（ａ＝１９２０）、上下方向にｂ画素（ｂ＝１０８０）の解像度を有しているものとする。
【００６２】
図８Ｂは、表示装置の画面サイズとプログレッシブ方式の映像データの解像度との関係を示している。上述した表示解像度を有する液晶パネル１５に、プログレッシブ方式（７２０ｐ）の映像データに基づく映像を表示する場合、この映像データの有効画素数は、１フレームあたり１２８０×７２０であるため、映像の上下及び左右に黒帯を付加した表示形態で映像を表示することになる。このため、画面の上側のラインから順次書込み走査を行う表示装置では、画像部分の表示開始ラインは、上側の黒帯に対する走査が完了した直後のラインに該当し、画像部分の表示終了ラインは、下側の黒帯に対する走査の直前のラインに該当する。
【００６３】
入力された映像データの左右方向の有効画素数をｘ、上下方向の有効画素数をｙとした場合、表示開始ラインの位置は、液晶パネル１５の一番上の画素から［（ｂ−ｙ）／２］番目の画素に相当する位置となり、表示終了ラインの位置は、液晶パネル１５の一番上の画素から［（ｂ＋ｙ）／２］番目の画素に相当する位置となる。
【００６４】
映像判別部１２は、１フレーム内において、［（ｂ−ｙ）／２］番目の水平同期信号に同期させてバックライト１７をオフにする制御信号をバックライトコントローラ１６へ出力し、［（ｂ＋ｙ）／２］番目の水平同期信号に同期させてバックライト１７をオンにする制御信号をバックライトコントローラ１６へ出力する。バックライトコントローラ１６は、映像判別部１２から出力される制御信号に従って、バックライト１７を点灯及び消灯するタイミングを制御する。
【００６５】
以下、実施の形態３に係る表示装置の動作について説明する。図９は実施の形態３に係る表示装置の動作を説明するフローチャートである。例えば、ＨＤＭＩ機器又はＰＣから表示装置の映像選択部１１に映像データが入力された場合（ステップＳ３１）、映像選択部１１は、入力された映像データを映像判別部１２へ出力し、映像判別部１２にて水平同期信号及び垂直同期信号をカウントすることにより、画像解像度情報を抽出する（ステップＳ３２）。
【００６６】
映像判別部１２は、表示させる映像データの上下方向の解像度（ｙ）と、液晶パネル１５における上下方向の表示解像度（ｂ）とを比較し、ｂ＞ｙであるか否かを判断する（ステップＳ３３）。
【００６７】
ｂ＞ｙであると判断した場合（Ｓ３３：ＹＥＳ）、映像判別部１２は、表示画像には黒帯が付加されると判断し（ステップＳ３４）、液晶パネル１５の表示解像度及び映像データの画像解像度情報に従って、表示画像における表示開始位置及び表示終了位置を算出する（ステップＳ３５）。すなわち、［（ｂ−ｙ）／２］及び［（ｂ＋ｙ）／２］の値を求めることによって、表示開始位置及び表示終了位置を算出する。
なお、映像を拡大又は縮小して表示する場合には、その拡大率又は縮小率に応じて、映像の表示開始位置及び表示終了位置を算出すればよい。
【００６８】
次いで、映像判別部１２は、算出した映像部分の表示開始位置及び表示終了位置に応じて、バックライト１７をオン／オフするタイミングを設定する（ステップＳ３６）。
一方、ｂ＞ｙでないと判断した場合（Ｓ３３：ＮＯ）、映像判別部１２は、表示すべき映像には黒帯が付加されないと判断し（ステップＳ３７）、バックライト１７をオン／オフするタイミングをデフォルトのタイミングに設定する（ステップＳ３８）。ここで、デフォルトのタイミングとは、例えば、あるフレームにおいて表示する映像の最終ラインの書込み走査に同期してバックライト１７をオンし、次のフレームにおいて表示する映像の１ライン目の書込み走査に同期してバックライト１７をオフにするタイミングをいう。
【００６９】
映像判別部１２は、設定したタイミングでバックライト１７をオン／オフする制御信号を生成し（ステップＳ３９）、生成した制御信号をバックライトコントローラ１６へ出力する。バックライトコントローラ１６は、映像判別部１２からの制御信号に従って、バックライト１７をオン／オフする制御を行う（ステップＳ４０）。
【００７０】
なお、本実施の形態では、バックライト１７をオン／オフするタイミングの制御について説明したが、３Ｄメガネ２０が備える左右のレンズについても、バックライト１７と同様のタイミングで開閉を制御することが可能である。すなわち、映像判別部１２は、バックライト１７をオンするタイミングで左眼用レンズ（又は右眼用レンズ）を開状態とし、バックライト１７をオフするタイミングで左眼用レンズ及び右眼用レンズを閉状態とする制御信号を生成し、この制御信号をメガネコントローラ１８へ出力することにより、３Ｄメガネ２０における左右のレンズの開閉を制御することが可能である。
【００７１】
以上のように、実施の形態１〜３では、電子番組表やｅｘｉｆ情報などの映像データに付加されるメタ情報を用いて、バックライト１７をオン／オフするタイミングを計算する構成としているため、同一画素における左眼用映像及び右眼用映像の階調からＬＲコントラスト（ＣＲコントラスト）を算出し、算出したコントラストに基づいてバックライトをオン／オフするタイミングを計算する従来手法と比較して、格段に計算量を削減することができる。従来手法では、フルＨＤの場合、１９２０×１０８０×３（ＲＧＢ）≒６２２万回の計算が必要であるのに対し、本願では、表示開始位置及び表示終了位置という２つの値を算出すればよい。
【００７２】
また、従来手法では、比較用データを記憶するための記憶領域が必要であり、演算結果を反映させるためには、映像データを記憶領域に蓄積し、遅延させて描画させる必要があるに対し、本願では、データの描画前にタイミングの計算が可能となるため、フレーム遅延を発生させる必要がない。
【００７３】
なお、実施の形態１〜３では、黒帯が付加されていない映像を表示する場合、デフォルトのタイミングを設定する構成としたが、黒帯が付加されていない場合には、表示させる映像を縮小して周囲に黒帯を付加し、映像部分の表示開始位置及び表示終了位置に応じて、バックライト１７の点灯期間を長くする構成としてもよい。
【００７４】
また、実施の形態１〜３では、映像の上下（又は周囲）に黒帯が付加される場合について説明したが、白色や赤色などの他の色による非映像部分を付加する構成としてもよい。更に、黒帯が付加される部分において、立体表示を伴わない２次元の映像を表示することも可能である。したがって、２次元映像を表示している画面にＰｉｎＰにより立体映像を挿入する場合、マルチウィンドウの一部に立体映像を表示する場合、立体映像の余白部分でＯＳＤ（On Screen Display）を行う場合等に本願発明を適用することも可能である。
【００７５】
また、実施の形態１〜３では、フレーム毎にバックライト１７をオン／オフする構成としたが、例えば、ヒステリシスを持たせて急激な輝度の変化が発生しないように制御する構成としてもよい。
【符号の説明】
【００７６】
１１  映像選択部
１２  映像判別部
１３  映像処理部
１４  表示コントローラ
１５  液晶パネル
１６  バックライトコントローラ
１７  バックライト
１８  メガネコントローラ
２０  ３Ｄメガネ
【図１】
2013134463.tif 000003
【図２】
2013134463.tif 000004
【図３】
2013134463.tif 000005
【図４】
2013134463.tif 000006
【図５】
2013134463.tif 000007
【図６】
2013134463.tif 000008
【図７】
2013134463.tif 000009
【図８】
2013134463.tif 000010
【図９】
2013134463.tif 000011